(57)【特許請求の範囲】
【請求項１】
ケースと該ケースの開口を覆うカバーとを含んで構成される筐体の電線引出部分にコルゲートチューブを固定するためのコルゲートチューブ固定構造において、
前記コルゲートチューブの蛇腹凹部に係合するケース側リブとカバー側リブとを形成し、且つ、前記ケース側リブの係合先と前記カバー側リブの係合先とを異なる位置の前記蛇腹凹部にし、且つ、前記カバーで前記開口を覆う際に前記ケース側リブと前記カバー側リブとを前記コルゲートチューブの延在方向に重ね合わせて止水壁を形成する
ことを特徴とするコルゲートチューブ固定構造。
【請求項２】
請求項１に記載のコルゲートチューブ固定構造において、
前記電線引出部分に前記ケース側リブと前記カバー側リブとを少なくとも二つずつ形成する
ことを特徴とするコルゲートチューブ固定構造。
【請求項３】
請求項１又は２に記載のコルゲートチューブ固定構造において、
内部で電気的な接続を行うため前記ケース内に端子台を設け、前記筐体をターミナルブロックとして用いる
ことを特徴とするコルゲートチューブ固定構造。
【発明の詳細な説明】
【技術分野】
【０００１】
本発明は、筐体の電線引出部分にコルゲートチューブを固定するための構造に関する。
【背景技術】
【０００２】
下記特許文献１には、束状になった電線を収容保護するプロテクタが開示される。電線は、蛇腹形状のコルゲートチューブに挿通された状態でプロテクタから引き出される。プロテクタは、電線を収容するプロテクタ本体（ケース）と、プロテクタ本体の開口を覆うプロテクタカバーとを備えて構成される。このような構成のプロテクタの電線引出部分は、コルゲートチューブを固定することができるような部分に形成される。具体的には、コルゲートチューブの蛇腹凹部に差し込まれて係合するようなリブを有する部分に形成される。
【先行技術文献】
【特許文献】
【０００３】
【特許文献１】特開２０１２−２０５４１８号公報
【発明の概要】
【発明が解決しようとする課題】
【０００４】
上記従来技術にあっては、電線の配策時に強い力が掛かるとコルゲートチューブが抜けてしまうという問題点を有する。また、そのために配策作業を慎重に行うと作業性が低下してしまうという問題点を有する。
【０００５】
さらに、上記従来技術にあっては、プロテクタの電線引出部分の形状を見ると、比較的大きな隙間が生じており、そのため水分の浸入が容易であるという問題点を有する。
【０００６】
本発明は、上記した事情に鑑みてなされたもので、コルゲートチューブの脱落防止と、作業性の向上と、水分の浸入防止とを図ることが可能なコルゲートチューブ固定構造を提供することを課題とする。
【課題を解決するための手段】
【０００７】
上記課題を解決するためになされた請求項１に記載の本発明は、ケースと該ケースの開口を覆うカバーとを含んで構成される筐体の電線引出部分にコルゲートチューブを固定するためのコルゲートチューブ固定構造において、前記コルゲートチューブの蛇腹凹部に係合するケース側リブとカバー側リブとを形成し、且つ、前記ケース側リブの係合先と前記カバー側リブの係合先とを異なる位置の前記蛇腹凹部にし、且つ、前記カバーで前記開口を覆う際に前記ケース側リブと前記カバー側リブとを前記コルゲートチューブの延在方向に重ね合わせて止水壁を形成することを特徴とする。
【０００８】
請求項２に記載の本発明は、請求項１に記載のコルゲートチューブ固定構造において、前記電線引出部分に前記ケース側リブと前記カバー側リブとを少なくとも二つずつ形成することを特徴とする。
【０００９】
請求項３に記載の本発明は、請求項１又は２に記載のコルゲートチューブ固定構造において、内部で電気的な接続を行うため前記ケース内に端子台を設け、前記筐体をターミナルブロックとして用いることを特徴とする。
【発明の効果】
【００１０】
請求項１に記載された本発明によれば、ケースとカバーとを備える筐体の電線引出部分にコルゲートチューブを固定するため、ケースにリブを形成するとともにカバーにもリブを形成することから、これらケース側リブとカバー側リブとを用いてコルゲートチューブを固定すると、例えばケースのみにリブを形成した場合と比べて格段に脱落し難い状態でコルゲートチューブを固定することができる。従って、本発明のようにコルゲートチューブの脱落防止をすることができれば、作業性の向上を図ることもできる。また、本発明によれば、ケース側リブの係合先とカバー側リブの係合先とをコルゲートチューブにおける異なる位置の蛇腹凹部に設定することから、電線の配策時に強い力が掛かってもコルゲートチューブの抜け防止に寄与することができる。さらに、本発明によれば、ケースにカバーを組み付けると、ケース側リブとカバー側リブとが重なり合って止水壁を形成することから、水分の浸入防止することができる。本発明では、水分の浸入防止に新規部品を設定する必要はない。以上、本発明のコルゲートチューブ固定構造によれば、コルゲートチューブの脱落防止と、作業性の向上と、水分の浸入防止とを図ることができるという効果を奏する。
【００１１】
請求項２に記載された本発明によれば、少なくとも二つずつケース側リブとカバー側リブとを形成することから、係合先の数を増やして、結果、コルゲートチューブの抜け防止に寄与することができるという効果を奏する。
【００１２】
請求項３に記載された本発明によれば、ターミナルブロックの電線引出部分におけるコルゲートチューブの固定構造として採用することができるという効果を奏する。
【図面の簡単な説明】
【００１３】
【図１】本発明のコルゲートチューブ固定構造を採用してなるターミナルブロックの斜視図である。
【図２】図１のターミナルブロックの断面図である。
【図３】図２の要部拡大図である。
【図４】図３のＡ視による止水壁の図である。
【図５】ケースとコルゲートチューブの斜視図である。
【図６】図５の断面図である。
【発明を実施するための形態】
【００１４】
コルゲートチューブ固定構造は、ケースとカバーとからなる筐体の電線引出部分にコルゲートチューブを固定するための構造であって、ケースとカバーとにそれぞれリブが形成される。ケース側リブとカバー側リブは、コルゲートチューブの蛇腹凹部に差し込まれて係合するリブとして形成され、ケース側リブの係合先とカバー側リブの係合先とが異なる位置の蛇腹凹部になるように配置される。また、ケース側リブとカバー側リブは、ケースにカバーを組み付けた状態で、ケース側リブとカバー側リブとがコルゲートチューブの延在方向に重ね合わせられ、これによって止水壁になるような形状に形成される。
【実施例】
【００１５】
以下、図面を参照しながら実施例を説明する。図１は発明のコルゲートチューブ固定構造を採用してなるターミナルブロックの斜視図である。また、図２は図１のターミナルブロックの断面図、図３は図２の要部拡大図、図４は図３のＡ視による止水壁の図、図５はケースとコルゲートチューブの斜視図、図６は図５の断面図である。
【００１６】
図１及び図２において、引用符号１は発明のコルゲートチューブ固定構造２を採用するターミナルブロックを示す。ターミナルブロック１は、例えば自動車等の車両に搭載されて、この内部で電気的な接続を行うことができるように構成される。具体的には、筐体３と、この筐体３の一対の電線引出部分４にそれぞれ固定される樹脂製のコルゲートチューブ５と、筐体３の内部に設けられる端子台６と、コルゲートチューブ５に挿通されて端子台６で接続相手と電気的に接続される図示しない電線とを備えて構成される。先ず、上記構成について説明をする。
【００１７】
筐体３は、樹脂製のケース７と、同じく樹脂製のカバー８とを備えて構成される。一方、コルゲートチューブ５も樹脂製である。コルゲートチューブ５は、断面円形状の公知のものが採用される。コルゲートチューブ５は、柔軟性を有する管体であって、蛇腹形状に形成される。具体的には、周方向の凹みになる蛇腹凹部９と、この蛇腹凹部９よりも径が大きく且つ周方向の凸になる蛇腹凸部１０とを有するとともに、これら蛇腹凹部９と蛇腹凸部１０とがコルゲートチューブ５の延在方向に交互に連続するような形状の管体に形成される。別な言い方をすれば、谷部と山部とが連続するような形状の管体に形成される。
【００１８】
図１ないし図６において、ケース７は、本実施例において、短手方向の辺に比べて長手方向の辺が格段に長く形成されるような長方形の底壁１１と、この底壁１１における上記長手方向の辺の位置に連成される一対の長手側壁１２と、底壁１１における上記短手方向の辺に連成される一対の短手側壁１３と、底壁１１の上方に位置する開口１４と、内部空間１５とを有して図示形状に形成される。ケース７は、筐体３における電線引出部分４に短手側壁１３が位置するような形状に形成される。
【００１９】
底壁１１の内面には、端子台６が設けられる。端子台６は、スタッドボルト１６を一体に成形することにより形成される。一対の長手側壁１２の外面には、カバー８に対するケース側ロック部１７が複数形成される。また、一対のうちの一方の長手側壁１２の外面には、図示しないブラケットに対する車両固定部１８も形成される。
【００２０】
引用符号１９は、コルゲートチューブ固定部を示す。コルゲートチューブ固定部１９は、ケース７側でコルゲートチューブ５を固定するための部分であって、底壁１１の内面と、長手側壁１２の内面と、短手側壁１３とに跨るように配置形成される。具体的には、ケース側リブ２０、２１で構成される二つの固定用のリブが該当する。ケース側リブ２０、２１は、所定の間隔をあけて配置形成される。
【００２１】
ケース側リブ２０は、内側に配置される固定用のリブであって、例えば底壁１１の内面及び長手側壁１２の内面に連成される壁を、開口１４の側からＵ字状に切り欠いたような形状に形成される。Ｕ字状の底部分は、コルゲートチューブ５の蛇腹凹部９の径に合わせた半円形の円弧部分に形成される。円弧部分は、蛇腹凹部９に差し込まれて係合する部分として形成される。一方、開口１４からのストレートな部分は、コルゲートチューブ５を円弧部分まで案内する部分として形成される。このストレートな案内の部分も蛇腹凹部９に差し込まれる。
【００２２】
ケース側リブ２０は、上記Ｕ字状に切り欠いた部分がコルゲートチューブ５に対する案内・固定機能部分２２として形成される。また、この案内・固定機能部分２２以外は、底壁１１の内面及び長手側壁１２の内面に連続する壁機能部分２３として形成される。
【００２３】
一方、ケース側リブ２１は、外側に配置される固定用のリブであって、短手側壁１３を開口１４からＵ字状に切り欠いたような形状、すなわちケース側リブ２０と同じ形状に形成される。ケース側リブ２１のＵ字状の底部分は、コルゲートチューブ５の蛇腹凹部９の径に合わせた半円形の円弧部分に形成される。円弧部分は、蛇腹凹部９に差し込まれて係合する部分として形成される。一方、開口１４からのストレートな部分は、コルゲートチューブ５を円弧部分まで案内する部分として形成される。このストレートな案内の部分も蛇腹凹部９に差し込まれる。
【００２４】
ケース側リブ２１も上記Ｕ字状に切り欠いた部分がコルゲートチューブ５に対する案内・固定機能部分２４として形成される。また、案内・固定機能部分２４以外は、短手側壁１３の本来の機能を発揮する、壁機能部分２５として形成される。
【００２５】
図１ないし図３において、カバー８は、ケース７の開口１４を覆うカバー本体２６と、ケース７のコルゲートチューブ固定部１９に対応するカバー側のコルゲートチューブ固定部２７とを有して図示形状に形成される。カバー７は、筐体３における電線引出部分４にコルゲートチューブ固定部２７が位置するように形成される。
【００２６】
カバー本体２６には、ケース７のケース側ロック部１７に対するカバー側ロック部２８が複数形成される。
【００２７】
コルゲートチューブ固定部２７は、カバー８側でコルゲートチューブ５を固定するための部分であって、カバー側リブ２９、３０で構成される二つの固定用のリブが該当する。カバー側リブ２９、３０は、所定の間隔をあけて配置形成される。
【００２８】
カバー側リブ２９は、内側に配置される固定用のリブであって、例えばカバー本体２６の内面に直交する壁を、この壁先端で半円形の円弧部分に切り欠いたような形状に形成される。円弧部分は、コルゲートチューブ５の蛇腹凹部９の径に合わせて形成される。円弧部分は、蛇腹凹部９に差し込まれて係合する部分として形成される。カバー側リブ２９は、円弧部分がコルゲートチューブ５に対する固定機能部分３１として形成される。また、固定機能部分３１以外は、壁機能部分３２として形成される。
【００２９】
カバー側リブ２９における引用符号３３は、コルゲートチューブ５の蛇腹凸部１０を避けるよう形成される凸部逃がし部を示す。また、引用符号３４は、カバー側リブ２９の厚肉部を示す。カバー側リブ２９は、凸部逃がし部３３と厚肉部３４とを有し、固定機能部分３１がケース７の案内固定機能部分２２と異なる位置の蛇腹凹部９に差し込まれるように配置形成される。
【００３０】
尚、引用符号３５は、カバー本体２６の内面に形成された補強部を示す。
【００３１】
カバー側リブ３０は、外側に配置される固定用のリブであって、例えばケース７の短手側壁１３の外側に位置する壁を、この壁先端で半円形の円弧部分に切り欠いたような形状に形成される。カバー側リブ３０は、カバー側リブ２９と同じ形状に形成される。カバー側リブ３０の円弧部分は、コルゲートチューブ５の蛇腹凹部９の径に合わせて形成される。円弧部分は、蛇腹凹部９に差し込まれて係合する部分として形成される。カバー側リブ３０は、円弧部分がコルゲートチューブ５に対する固定機能部分３６として形成される。また、固定機能部分３６以外は、壁機能部分３７として形成される。
【００３２】
カバー側リブ３０における引用符号３８は、コルゲートチューブ５の蛇腹凸部１０を避けるよう形成される凸部逃がし部を示す。また、引用符号３９は、カバー側リブ３０の厚肉部を示す。カバー側リブ３０は、凸部逃がし部３８と厚肉部３９とを有し、固定機能部分３６がケース７の案内固定機能部分２４と異なる位置の蛇腹凹部９に差し込まれるように配置形成される。
【００３３】
次に、上記構成及び構造に基づきながら発明のコルゲートチューブ固定構造２、すなわちコルゲートチューブ５を固定する構造について説明をする。
【００３４】
図５及び図６において、図示しない電線を挿通した状態のコルゲートチューブ５をケース７のコルゲートチューブ固定部１９に組み付ける。この時、コルゲートチューブ５は、端部から一番目の蛇腹凹部９ａ（図３参照）がケース側リブ２０に案内されて固定される。また、コルゲートチューブ５は、端部から四番目の蛇腹凹部９ｄ（図３参照）がケース側リブ２１に案内されて固定される。
【００３５】
図１ないし図３において、コルゲートチューブ５をケース７に組み付けた後は、開口１４を覆うようにしてカバー８をケース７に組み付ける。この時、コルゲートチューブ５は、端部から二番目の蛇腹凹部９ｂがカバー側リブ２９によって固定される。また、コルゲートチューブ５は、端部から五番目の蛇腹凹部９ｅがカバー側リブ３０によって固定される（本実施例においては蛇腹凹部９ｃへの係合はない）。以上により、コルゲートチューブ５の固定が完了する。
【００３６】
発明のコルゲートチューブ固定構造２では、二種類のリブで挟み込むとコルゲートチューブ５が固定される。そして、この固定時に次のような特徴的な部分も形成される。すなわち、カバー８をケース７に組み付ける際に、ケース側リブ２０、２１とカバー側リブ２９、３０とがコルゲートチューブ５の延在方向に重ね合わせられて、図４に示す如くの止水壁４０、４１が形成される。
【００３７】
止水壁４０は、ケース側リブ２０の壁機能部分２３とカバー側リブ２９の壁機能部分３２とが重なり合うことで水分の浸入を防止するような壁状の部分に形成される。また、止水壁４１は、ケース側リブ２１の壁機能部分２５とカバー側リブ３０の壁機能部分３７とが重なり合うことで水分の浸入を防止するような壁状の部分に形成される。
【００３８】
以上、図１ないし図６を参照しながら説明してきたように、本発明のコルゲートチューブ固定構造２は、ケース７とカバー８とを備える筐体３の電線引出部分４にコルゲートチューブ５を固定するための構造であって、ケース７にケース側リブ２０、２１を形成するとともに、カバー８にもカバー側リブ２９、３０を形成することから、これらケース側リブ２０、２１とカバー側リブ２９、３０とを用いてコルゲートチューブ５を上記の如く固定すれば、従来よりも格段に脱落し難い状態でコルゲートチューブ５を固定することができる。従って、本発明のようにコルゲートチューブ５の脱落を防止することができれば、作業性の向上を図ることもできる。
【００３９】
また、本発明によれば、ケース側リブ２０、２１の係合先とカバー側リブ２９、３０の係合先とをコルゲートチューブ５における異なる位置の蛇腹凹部９に設定することから、図示しない電線の配策時に強い力が掛かってもコルゲートチューブ５の抜け防止に寄与することができる。
【００４０】
さらに、本発明によれば、ケース７にカバー８を組み付けると、ケース側リブ２０、２１とカバー側リブ２９、３０とが重なり合って止水壁４０、４１を形成することから、水分の浸入防止することができる。本発明では、水分の浸入防止に新規部品を設定する必要はない。
【００４１】
以上、本発明のコルゲートチューブ固定構造２によれば、コルゲートチューブ５の脱落防止と、作業性の向上と、水分の浸入防止とを図ることができるという効果を奏する。
【００４２】
本発明は本発明の主旨を変えない範囲で種々変更実施可能なことは勿論である。例えばターミナルブロック１に限らず、広義の電気接続箱としてもよい。
【符号の説明】
【００４３】
１…ターミナルブロック、  ２…コルゲートチューブ固定構造、  ３…筐体、  ４…電線引出部分、  ５…コルゲートチューブ、  ６…端子台、  ７…ケース、  ８…カバー、  ９…蛇腹凹部、  １０…蛇腹凸部、  １１…底壁、  １２…長手側壁、  １３…短手側壁、  １４…開口、  １５…内部空間、  １６…スタッドボルト、  １７…ケース側ロック部、  １８…車両固定部、  １９…コルゲートチューブ固定部、  ２０、２１…ケース側リブ、  ２２、２４…案内・固定機能部分、  ２３、２５…壁機能部分、  ２６…カバー本体、  ２７…コルゲートチューブ固定部、  ２８…カバー側ロック部、  ２９、３０…カバー側リブ、  ３１、３６…固定機能部分、  ３２、３７…壁機能部分、  ３３、３８…凸部逃がし部、  ３４、３９…厚肉部、  ３５…補強部、  ４０、４１…止水壁
【図１】
0006329829.tif 000002
【図２】
0006329829.tif 000003
【図３】
0006329829.tif 000004
【図４】
0006329829.tif 000005
【図５】
0006329829.tif 000006
【図６】
0006329829.tif 000007